(57)【要約】本発明のモバイルコンピュータデバイスは、回転するように第２の筐体へ結合された第１の筐体と、第１の筐体の中のコンピュータ回路と、第１の筐体の中に少なくとも部分的に配置されたディスプレイとを含む。ディスプレイは、ユーザへコンピュータ回路からの情報を視覚的に表示する。第１のユーザインタフェースデバイスと第２のユーザインタフェースデバイスは、少なくとも部分的に第２の筐体内へ配置される。第２の筐体は、第１の筐体に対して回転するようになっている。第２の筐体が閉じた位置にある場合、第１および第２のユーザインタフェースデバイスは、第１の筐体によって少なくとも部分的に覆われている。第２の筐体が展開された位置にある場合、第１および亜第２のユーザインタフェースデバイスは、第１の筐体における側面の両側で少なくとも部分的に覆われていない。【特許請求の範囲】
【請求項１】
モバイルコンピュータデバイスであって、
第１の筐体と、
前記第１の筐体に実装されるコンピュータ回路と、
少なくとも部分的に前記第１の筐体の中に配置され、ユーザに対して前記コンピュータ回路からの情報を視覚的に表示するように構成されたディスプレイと、
前記第１の筐体に対して回転可能に取り付けられた第２の筐体と、
少なくとも部分的に前記第２の筐体へ配置された第１のユーザインタフェースデバイスと、
前記第２の筐体へ配置された第２のユーザインタフェースデバイスと
を含み、
前記第２の筐体は、
前記第１および第２のユーザインタフェースデバイスが前記第１の筐体によって少なくとも部分的に覆われることになる閉じた位置と、前記第１および第２のユーザインタフェースデバイスが前記第１の筐体における両側面により少なくとも部分的に覆われないことになる展開された位置との間で、前記第１の筐体に対して回転することを特徴とするモバイルコンピュータデバイス。
【請求項２】
前記第１の筐体は、
前記閉じた位置で、前記第１および第２のユーザインタフェースデバイスのうち少なくとも一方についての前面全体を覆うことを特徴とする請求項１に記載のモバイルコンピュータデバイス。
【請求項３】
前記第２の筐体が前記展開された位置へと回転したときに、前記第１および第２のユーザインタフェースデバイスの少なくとも１つが完全に覆われないことを特徴とする請求項２に記載のモバイルコンピュータデバイス。
【請求項４】
前記第１および第２のユーザインタフェースデバイスの少なくとも１つは、
前記コンピュータ回路からの音声信号を出力するスピーカであることを特徴とする請求項１に記載のモバイルコンピュータデバイス。
【請求項５】
前記第１および第２のユーザインタフェースデバイスの少なくとも１つは、
ユーザ入力データを前記コンピュータ回路へ供給するユーザ入力デバイスであることを特徴とする請求項１に記載のモバイルコンピュータデバイス。
【請求項６】
前記ユーザ入力デバイスは、キーボードであることを特徴とする請求項５に記載のモバイルコンピュータデバイス。
【請求項７】
前記ユーザ入力デバイスは、タッチパッドであることを特徴とする請求項５に記載のモバイルコンピュータデバイス。
【請求項８】
前記第１および第２のユーザインタフェースデバイスの少なくとも１つは、
前記展開された位置で使用可能となり、前記閉じた位置で使用不可となるスピーカであることを特徴とする請求項１に記載のモバイルコンピュータデバイス。
【請求項９】
前記第１および第２のユーザインタフェースデバイスの少なくとも１つは、
前記展開された位置で使用可能となり、前記閉じた位置で使用不可となるユーザ入力デバイスであることを特徴とする請求項１に記載のモバイルコンピュータデバイス。
【請求項１０】
前記コンピュータ回路は、
リモート通信デバイスへ送信するための無線通信プロトコルに従って前記第１および第２のユーザインタフェースデバイスの少なくとも１つからの情報を生成することを特徴とする請求項１に記載のモバイルコンピュータデバイス。
【請求項１１】
前記ディスプレイは、
リモート無線通信デバイスとの無線接続を確立するための前記コンピュータ回路からの情報を表示することを特徴とする請求項１０に記載のモバイルコンピュータデバイス。
【請求項１２】
前記コンピュータ回路は、
無線通信モードおよびゲームモードでさらに動作し、前記第２の筐体に対する前記第１の筐体の回転に基づいて前記無線通信モードと前記ゲームモードとを切り替えることを特徴とする請求項１０に記載のモバイルコンピュータデバイス。
【請求項１３】
前記コンピュータ回路は、
音声通信モードおよびインターネット通信モードで動作し、前記第２の筐体に対する前記第１の筐体の回転に基づいて前記音声通信モードと前記インターネット通信モードとを切り替えることを特徴とする請求項１０に記載のモバイルコンピュータデバイス。
【請求項１４】
前記コンピュータ回路は、
音声通信モードおよびインターネットモードで動作し、前記第２の筐体に対する前記第１の筐体の回転に基づいて前記音声通信モードと前記インターネットモードとを切り替えることを特徴とする請求項１０に記載のモバイルコンピュータデバイス。
【請求項１５】
前記第１の筐体にスピーカをさらに含み、
前記第２の筐体の前記第１および第２のユーザインタフェースデバイスの少なくとも１つがスピーカであり、
前記コンピュータ回路は、
前記第２の筐体が前記閉じた位置のとき、前記第１の筐体にある前記スピーカへ選択的にリモート無線通信デバイスとの無線通信インタフェースからの音楽データを供給し、
前記第２の筐体が前記展開された位置にあるとき、前記第２の筐体にあるスピーカへ復号化された前記音楽データを供給する音声通信モードおよび音楽モードでさらに動作することを特徴とする請求項１０に記載のモバイルコンピュータデバイス。
【請求項１６】
前記第１および第２のユーザインタフェースデバイス少なくとも１つのは、前記第２の筐体へ取り外し可能なように接続されることを特徴とする請求項１に記載のモバイルコンピュータデバイス。
【請求項１７】
モバイルコンピュータデバイスであって、
第１の筐体と、
前記第１の筐体に実装されるコンピュータ回路と、
少なくとも部分的に前記第１の筐体の中に配置され、ユーザに対して前記コンピュータ回路からの情報を視覚的に表示するディスプレイと、
前記第１の筐体に対して回転可能に取り付けられた第２の筐体と、
少なくとも部分的に前記第２の筐体へ配置された第１のユーザインタフェースデバイスと、
前記第２の筐体へ配置された第２のユーザインタフェースデバイスとを含み、
前記第２の筐体は、閉じた位置と展開された位置との間で前記第１の筐体に対して回転し、前記第１および第２のユーザインタフェースデバイスの少なくとも１つは、前記第２の筐体が前記展開された位置で使用可能となり、前記第２の筐体が前記閉じた位置で使用不可となることを特徴とするモバイルコンピュータデバイス。
【請求項１８】
モバイルコンピュータデバイスであって、
第１の筐体と、
第１のモードおよび第２の代替のモードを動作させる前記第１の筐体に実装されるコンピュータ回路と、
少なくとも部分的に前記第１の筐体の中に配置され、ユーザに対して前記コンピュータ回路からの情報を視覚的に表示するディスプレイと、
前記第１の筐体へ回転可能に取り付けられた第２の筐体と、
少なくとも部分的に前記第２の筐体へ配置された第１のユーザインタフェースデバイスと、
前記第２の筐体へ配置された第２のユーザインタフェースデバイスとを含み、
前記第２の筐体は、閉じた位置と展開された位置との間で前記第１の筐体に対して回転され、前記コンピュータ回路は、前記第２の筐体が前記展開された位置において第１モードで動作し、前記第２の筐体が前記閉じた位置において前記第２の代替のモードで動作することを特徴とするモバイルコンピュータデバイス。
【発明の詳細な説明】
【技術分野】
【０００１】
本発明は、モバイルコンピュータデバイスに関する。特に、本発明は、可動可能なユーザインタフェースデバイスを有するモバイルコンピュータデバイスに関する。
【背景技術】
【０００２】
ますます増加傾向にある機能をより小さい電子機器へ統合しようとすると、製品サイズが小さくならないことが多い。むしろ、製品サイズは、ユーザインタフェースによって制限されることもあろうし、ユーザが製品の機能にアクセスしたり、使用したりするための効率的で美しいインタフェースへの要望によって制限されることもあろう。例えば、無線移動端末は、快適に指で操作できる数の制限されたキーを備えている。また、各キーは、無線移動端末の機能モードごとに異なる役割を有していることもある。ゲーム、インターネット、動画および音楽のような多くの機能を無線移動端末へ統合しようとすると、ユーザインタフェースは、増加した機能に対応するためにより多くのキー、コントローラまたは他のインタフェースデバイスを備える必要が生じよう。しかしながら、製品のサイズを小さくすることやユーザインタフェースの複雑さを低減して欲しいという要望が強いため、追加のキーやコントローラを備えることは、受け入れられないであろう。
【発明の開示】
【発明が解決しようとする課題】
【０００３】
本発明の実施形態は、第２の筐体へ回転可能に取り付けられた第１の筐体を含むモバイルコンピュータデバイスを提供する。
【課題を解決するための手段】
【０００４】
コンピュータ回路は、第１の筐体の中に含まれ、ディスプレイは、少なくとも部分的に第１の筐体の中に配置される。ディスプレイは、コンピュータ回路からの情報をユーザに対して視覚的に表示する。第１のユーザインタフェースデバイスおよび第２のユーザインタフェースデバイスは、少なくとも部分的に第２の筐体の中に配置される。第２の筐体は、第１の筐体に対して閉じた位置と展開された位置との間で回転するように構成されている。閉じた位置では、第１および第２のユーザインタフェースデバイスが第１の筐体によって少なくとも部分的に覆われるようになる。また、展開された位置では、第１および第２のユーザインタフェースデバイスが第１の筐体における両側面によって少なくとも部分的に覆われないようになる。
【０００５】
本発明の他の実施形態によれば、ユーザインタフェースデバイスの少なくとも１つは、第２の筐体が展開された位置で使用可能となり、第２の筐体が閉じた位置で使用不可となる。さらに、他の実施形態によれば、コンピュータ回路は、第２の筐体が展開された位置となるときに第１のモードで動作し、第２の筐体が閉じられた位置となるときに第２のモードで動作する。
【０００６】
このような本発明の展開可能なユーザインタフェースデバイスによって、改良されたユーザインタフェースがユーザに対して提供される可能性がある。また、本発明によって、モバイルコンピュータデバイスのサイズが小さくなる可能性もある。さらに、本発明によって、モバイルコンピュータデバイスにおいて、より多くの機能をサポートするような拡張されたユーザインタフェースが提供される可能性もある。
【発明を実施するための最良の形態】
【０００７】
本発明は、様々な変形することや一部を置換することも可能であるが、それらのうちの特定の実施形態を、一例として図面に示すとともに、以下で詳細に説明する。しかしながら、特定の実施形態を開示する一方で、これは本発明を限定する意図で開示したものではないことを理解すべきである。一方で、本発明は、特許請求の範囲によって定義されるような発明の思想および範囲には、これらの全ての変形形態、均等形態および代替の実施形態が含まれることが意図されている。参照番号などは、図の説明の中で構成要素など示している。本明細書中で使用される用語「含む、含んでいる」は、この明細書で述べられた機能、ステップ、動作、構成要素およびコンポーネントの少なくとも１つの存在を特定するために使用されている。しかしながら、他の１以上の機能、数値、ステップ、動作、構成要素、コンポーネントおよびそれらのグループの少なくとも１つの存在または追加を排除する意図ではないということを理解されるべきである。
【０００８】
本発明は、回路およびコンピュータプログラム製品の少なくとも１つにおいて具体化されてもよい。すなわち、本発明は、ハードウェアおよびソフトウェア（ファームウェア、常駐ソフトウェア、マイクロコード等を含む。）の少なくとも１つにおいて具体化されてもよいのである。
【０００９】
以下で、本発明は、ここで移動端末を含むモバイルコンピュータデバイスに関連して説明される。しかしながら、本発明が他のタイプのモバイルコンピュータデバイスによって具体化されてもよいということは理解できるであろう。他のタイプとしては、例えば、マルチラインディスプレイを備えるもしくは備えない衛星方式またはセルラー方式の無線電話がある。また、データ処理、ファクシミリまたはデータ通信機能などを備えるセルラー方式の無線電話に接続可能なパーソナルコミュニケーションシステム（ＰＣＳ）端末もある。また、ＰＤＡ、ポケベル、ウェブブラウザ、システム手帳および衛星利用測位システム（ＧＰＳ）の受信機などもある。また、ラップトップおよびパームトップコンピュータなどもある。さらに、モバイルゲームデバイスまたはデータ処理を実行するような他のモバイルデバイスであってもよい。
【００１０】
図１は、多様な本発明の実施形態に係るモバイルコンピュータデバイスを示す図である。モバイルコンピュータデバイスは、メイン筐体１００および展開可能なインタフェース筐体１１０を含む。メイン筐体１００は、ユーザへ視覚的に情報を表示するディスプレイ１２０を含むとともに、ユーザへ機能を提供するためにディスプレイ１２０に結合されたコンピュータ回路を実装しうる。インタフェース筐体１１０は、１以上のユーザインタフェースデバイスを含みうる。ユーザインタフェースデバイスは、少なくとも部分的にインタフェース筐体１１０の中に配置される。ユーザインタフェースデバイスとしては、例えば、スピーカ、キーボードおよび感圧式のパッド（タッチパッド）がある。図１に示すように、インタフェース筐体１１０は、２つのユーザインタフェースデバイス１３０、１４０を含む。インタフェースデバイス１３０、１４０は、インタフェース筐体１１０に取り外し可能な状態で接続されるように構成されてもよい。メイン筐体１００は、ディスプレイ１２０に加えて１以上のユーザインタフェースデバイスを含むようにしてもよい。
【００１１】
インタフェース筐体１１０は、メイン筐体１００に対して回転可能に取り付けられている。これは、閉じた位置と展開された位置との間で相対的に回転できるようにするためである。図２は、インタフェース筐体１１０が閉じた位置と展開された位置との間における様々な段階の例を示す図である。閉じた位置において、インタフェースデバイス１３０、１４０は、メイン筐体１００によって少なくとも部分的に覆われるようになる。一方、展開された位置においては、インタフェースデバイス１３０、１４０が、メイン筐体１００の両側面によって少なくとも部分的に覆われないようになる。図２に示すように、例えば、インタフェース筐体１１０が閉じた位置にあるとき、インタフェースデバイス１３０、１４０の前面全体がメイン筐体１００によって覆われるようにしてもよい。また、インタフェース筐体１１０が展開された位置にあるときに、インタフェースデバイス１３０、１４０の前面全体がメイン筐体１００によって覆われないようにしてもよい。
【００１２】
図４は、モバイルコンピュータデバイスの背面図である。インタフェース筐体１１０は、回転結合部材４００によってメイン筐体１００に対して回転可能に取り付けられる。なお、メイン筐体１００およびインタフェース筐体１１０は、インタフェース筐体１１０が図１に示すように展開されたときに、メイン筐体１００の両端を越えてインタフェース筐体１１０が対称的に飛び出るように構成されていなくてもよい。また、メイン筐体１００およびインタフェース筐体１１０は、インタフェース筐体１１０が閉じた位置にあるときに、メイン筐体１００の一方のまたは両方の端を越えてインタフェース筐体１１０が飛び出るように構成されてもよい。
【００１３】
インタフェースデバイス１３０、１４０の一方または両方は、インタフェース筐体１１０に取り外し可能な状態で接続されるようにしてもよい。例えば、図３Ａに示すように、インタフェース筐体１１０は、インタフェースデバイス１３０、１４０を保持するためにインタフェースデバイス１３０、１４０に対応する面がそれぞれかみ合うようにラッチ部材３００を含むようにしてもよい。図３Ｂに示すように、インタフェースデバイス１３０、１４０は、取り外されたり、他のインタフェースデバイスによって取り替えられたりするようにしてもよい。例えば、展開されたインタフェース筐体１１０の右側にあるキーボード３１０およびタッチパッド３２０は、例えば、ラッチ部材３００を操作することによって左側にあるスピーカ３３０と取り替えられてもよい。インタフェースデバイス１３０、１４０は、両方ともスピーカにされてもよい。これにより、両スピーカの空間的な隔たりによってユーザに対し、改良されたステレオ音響が提供されるであろう。インタフェースデバイス１３０、１４０は、キーボードまたはタッチパッドのようなユーザ入力デバイスであってもよい。これは、例えば、ゲーム中やデータの入力中にユーザが両手を使用することにより、同時に操作されるようにしてもよい。
【００１４】
図５は、無線通信システムにおいて使用される移動端末５００であるモバイルコンピュータデバイスの機能ブロック図である。移動端末５００は、メイン筐体５０２と、インタフェース筐体５０４とを含む。また、移動端末５００は、少なくとも部分的にメイン筐体５０２の中へ配置されるコンピュータ回路５０４、メモリ５０６、トランシーバ５０８、キーボード／キーパッド５１０、ディスプレイ５１２、スピーカ５１４およびマイクロホン５１６の少なくとも１つをさらに含むようにしてもよい。さらに、移動端末５００は、少なくとも部分的にインタフェース筐体５０４の中に配置されるキーボード／キーパッド５１８、ディスプレイ５２０、スピーカ５２２およびマイクロホン５２４の少なくとも１つを含むようにしてもよい。
【００１５】
メモリ５０６は、１以上の消去可能ＰＲＯＭ（ＥＰＲＯＭまたはフラッシュＥＰＲＯＭ）、バッテリバックアップ式のランダムアクセスメモリ（ＲＡＭ）、磁気的な、光学的なまたは他のデジタル式の記憶デバイスを含んでもよい。また、メモリ５０６は、コンピュータ回路５０４から分離されるか、あるいは少なくとも部分的にコンピュータ回路５０４の中に含まれるようにしてもよい。トランシーバ５０８は、通常、双方向通信を可能にするため送信機および受信機の両方を含む。しかしながら、本発明は、そのようなデバイスには限定されない。本発明において、トランシーバは、受信機および送信機の両方、あるいは１つの通信回路のみを含むようにしてもよい。したがって、移動端末５００は、無線周波数信号を使用して無線通信網５３０と通信をおこなうようにしてもよい。無線周波数信号は、無線通信網５３０の少なくとも１つの通信チャネル５４０上でアンテナ５２６を介して通信されるようにしてもよい。アンテナ５２６は、例えば図５に示すように、メイン筐体５０２に接続されるか、またはメイン筐体５０２の中に実装されるようにしてもよい。あるいは、インタフェース筐体５０４の中に少なくとも部分的に実装されるか、それらを組み合わせるようにしてもよい。
【００１６】
コンピュータ回路５０４は、移動端末５００の様々な通信関連機能や、アプリケーション関連機能をサポートするようにしてもよい。なお、これらの関連機能は、メモリ５０６内にソフトウェアとして定義される。ソフトウェアに従い動作することで、コンピュータ回路５０４は、無線通信プロトコルに従って通信チャネル５４０上で送信される通信信号を生成する。無線通信プロトコルは、無線通信網５３０との通信接続として通信チャネル５４０を確立するための動作を含むようにしてもよい。また、無線通信プロトコルは、通信接続の維持、マイクロホン５１６およびマイクロホン５２４の少なくとも一方からの音声（通話）信号を通信チャネル５４０上の送信に適したデジタル信号へと生成する（すなわち、音声符号化）処理を含むようにしてもよい。さらに、通信チャネル５４０上で受信される音声信号をスピーカ５１４およびスピーカ５２２の少なくとも一方による出力に適した形式に生成する（すなわち、音声復号化）操作を含むようにしてもよい。生成された通信信号は、通信データ（音声およびデータの少なくとも一方）と、制御信号（例えば、着呼における信号／メッセージのページング）との両方を含んでもよい。移動端末５００が提供しうる無線通信プロトコルの例としては、ＩＥＥＥ８０２．１１ｂを含むようなＡＮＳＩ−１３６、ＧＳＭ、符号分割多元接続（ＣＤＭＡ）、広帯域ＣＤＭＡ、ＣＤＭＡ２０００などがある。また、ＧＳＭ拡張版向けの高速データ・レート（ＥＤＧＥ）、ユニバーサル・モバイル・テレコミュニケーション・システム（ＵＭＴＳ）、Ｂｌｕｅｔｏｏｔｈ、無線ＬＡＮ（ＷＬＡＮ）プロトコル等がある。これらの無線通信プロトコルや他の無線通信プロトコルについては、当業者によく知られた技術であり、ここでの詳細な説明は省略される。
【００１７】
コンピュータ回路５０４およびメモリ５０６内のソフトウェアは、アプリケーション関連機能を含むようにしてもよい。当該関連機能は、ユーザに対してゲームを提供する機能や音楽（無線通信網５３０から受信されるか、あるいは、例えば、メモリ５０６に備えられたｍｐ３または他の方式で符号化された音楽データ）を再生する機能を含んでもよい。また、当該関連機能は、ショートメッセージサービスのメッセージ、電子メール、データ、デジタル画像および動画の少なくとも１つにおける生成、送信、受信の各機能を含んでもよい。また、コンピュータ回路５０４は、代替のモードで動作するようにしてもよい。例えば、代替のモードとは、移動端末５００が無線通信網５３０と通信するような場合の無線通信モードや、移動端末５００がユーザへゲームを提供する場合のゲームモードである。他のモードでは、音声通信モード、インターネット通信モードおよび音楽モードを含んでもよい。代替のモードは、例えば、一度にただ１つのモードが許可されるような相互に排他的なモードであるようにしてもよい。それにより、コンピュータ回路５０４の必要とされる処理性能は、各モードが排他的に動作することによって抑制されるかもしれない。
【００１８】
移動端末５００は、インタフェース筐体５０４に対するメイン筐体５０２における位置を検知するために使用されるスイッチ５２８をさらに含むようにしてもよい。例えば、スイッチ５２８は、インタフェース筐体５０４が閉じた位置および展開された位置の少なくとも１つを検知するようにしてもよい。さらに、メイン筐体５０２とインタフェース筐体５０４とが、閉じた位置と展開された位置との間にある位置に存在することを検知するようにしてもよい。コンピュータ回路５０４は、１以上のユーザインタフェース５１８、５２０、５２２、５２４について有効（すなわち、使用可能）または無効（すなわち、使用不可）を選択可能なようにしてもよい。さらに、コンピュータ回路５０４は、スイッチ５２８からの指示に基づいてモードを切り替えるようにしてもよい。例えば、インタフェース筐体５０４が閉じた位置にあるとき、移動端末５００は、無線通信モードであるようにしてもよい。また、インタフェース筐体５０４が展開された位置へと回転されたときに、移動端末５００は、自動的にゲームモード、音声通信モード、インターネット通信モードおよび音楽モードの少なくとも１つを提供するようにしてもよい。
【００１９】
メイン筐体５０２およびインタフェース筐体５０４にあるユーザインタフェース５１８、５２０、５２２、５２４、５１０、５１２、５１４、５１６は、メイン筐体５０２およびインタフェース筐体５０４の位置関係に基づいて使用可能および使用不可の少なくとも１つであるようにしてもよい。メイン筐体５０２およびインタフェース筐体５０４の位置関係は、例えば、スイッチ５２８によって検知されうる。例えば、インタフェース筐体５０４が閉じた位置にある場合、ユーザインタフェース５１８、５２０、５２２、５２４は、少なくとも部分的にメイン筐体５０２によって覆われているため、１以上のユーザインタフェースは使用不可となるであろう。同様に、例えば、インタフェース筐体５０４が展開された位置にある場合、ユーザインタフェース５１８、５２０、５２２、５２４は、少なくとも部分的にメイン筐体５０２によって覆われていないため、１以上のユーザインタフェースは使用可能となるであろう。
【００２０】
図面および明細書中においては、本発明の典型的な実施例について開示されている。その中で、特定の用語が使用されているが、一般的および説明的な感覚で使用しているにすぎず、本発明を限定する目的で使用しているわけではない。本発明の範囲は、添付の特許請求の範囲によって確定される。
【図面の簡単な説明】
【００２１】
【図１】本発明の実施形態に係るモバイルコンピュータデバイスを示す図である。
【図２】本発明の実施形態に係る図１のモバイルコンピュータデバイスにおけるユーザインタフェースデバイスの展開を示す図である。
【図３Ａ】、
【図３Ｂ】本発明の実施形態に係るユーザインタフェースデバイスの取替えを示すモバイルコンピュータデバイスを示す図である。
【図４】本発明の実施形態に係るモバイルコンピュータデバイスの背面図である。
【図５】本発明の実施形態に係る無線通信システムにおいて無線移動端末を示すブロック図である。
【図１】
2007527637.tif 000002
【図２】
2007527637.tif 000003
【図３Ａ】
2007527637.tif 000004
【図３Ｂ】
2007527637.tif 000005
【図４】
2007527637.tif 000006
【図５】
2007527637.tif 000007
【手続補正書】
【提出日】平成19年1月5日(2007.1.5)
【手続補正１】
【補正対象書類名】特許請求の範囲
【補正対象項目名】請求項１
【補正方法】変更
【補正の内容】
【請求項１】
モバイルコンピュータデバイスであって、
第１の筐体と、
前記第１の筐体に実装されるコンピュータ回路と、
少なくとも部分的に前記第１の筐体の中に配置され、ユーザに対して前記コンピュータ回路からの情報を視覚的に表示するように構成されたディスプレイと、
前記第１の筐体に対して回転可能に取り付けられた第２の筐体と、
少なくとも部分的に前記第２の筐体へ配置された第１のユーザインタフェースデバイスと、
少なくとも部分的に前記第２の筐体へ配置された第２のユーザインタフェースデバイスと
を含み、
前記第２の筐体は、
前記第１および第２のユーザインタフェースデバイスが前記第１の筐体によって少なくとも部分的に覆われることになる閉じた位置と、前記第１および第２のユーザインタフェースデバイスが前記第１の筐体における両側面により少なくとも部分的に覆われないことになる展開された位置との間で、前記第１の筐体に対して回転することを特徴とするモバイルコンピュータデバイス。
【手続補正２】
【補正対象書類名】特許請求の範囲
【補正対象項目名】請求項１６
【補正方法】変更
【補正の内容】
【請求項１６】
前記第１および第２のユーザインタフェースデバイスの少なくとも１つは、前記第２の筐体へ取り外し可能なように接続されることを特徴とする請求項１に記載のモバイルコンピュータデバイス。
【手続補正３】
【補正対象書類名】特許請求の範囲
【補正対象項目名】請求項１７
【補正方法】変更
【補正の内容】
【請求項１７】
モバイルコンピュータデバイスであって、
第１の筐体と、
前記第１の筐体に実装されるコンピュータ回路と、
少なくとも部分的に前記第１の筐体の中に配置され、ユーザに対して前記コンピュータ回路からの情報を視覚的に表示するディスプレイと、
前記第１の筐体に対して回転可能に取り付けられた第２の筐体と、
少なくとも部分的に前記第２の筐体へ配置された第１のユーザインタフェースデバイスと、
少なくとも部分的に前記第２の筐体へ配置された第２のユーザインタフェースデバイスとを含み、
前記第２の筐体は、閉じた位置と展開された位置との間で前記第１の筐体に対して回転し、前記第１および第２のユーザインタフェースデバイスの少なくとも１つは、前記第２の筐体が前記展開された位置で使用可能となり、前記第２の筐体が前記閉じた位置で使用不可となることを特徴とするモバイルコンピュータデバイス。
【手続補正４】
【補正対象書類名】特許請求の範囲
【補正対象項目名】請求項１８
【補正方法】変更
【補正の内容】
【請求項１８】
モバイルコンピュータデバイスであって、
第１の筐体と、
第１のモードおよび第２の代替のモードを動作させる前記第１の筐体に実装されるコンピュータ回路と、
少なくとも部分的に前記第１の筐体の中に配置され、ユーザに対して前記コンピュータ回路からの情報を視覚的に表示するディスプレイと、
前記第１の筐体へ回転可能に取り付けられた第２の筐体と、
少なくとも部分的に前記第２の筐体へ配置された第１のユーザインタフェースデバイスと、
少なくとも部分的に前記第２の筐体へ配置された第２のユーザインタフェースデバイスとを含み、
前記第２の筐体は、閉じた位置と展開された位置との間で前記第１の筐体に対して回転され、前記コンピュータ回路は、前記第２の筐体が前記展開された位置において第１モードで動作し、前記第２の筐体が前記閉じた位置において前記第２の代替のモードで動作することを特徴とするモバイルコンピュータデバイス。
【国際調査報告】
2007527637.tif 000008
2007527637.tif 000009
2007527637.tif 000010